(57)【要約】      （修正有）【課題】光学ファインダーと外部モニターとを併用する際に、光学ファインダーに対する外部モニターの視度差を軽減するデジタルカメラを提供する。【解決手段】接眼レンズを有する光学ファインダー２と、ライブビュー用の外部表示装置１とを備えたレンズ交換可能なデジタルカメラにおいて、外部表示装置１に、上方への跳上げ回転機構と、画面の反転機構とを設けることで、外部表示装置１の画面中心を、背面から見て、光学ファインダー２の右上方に配置することを可能とする。【選択図】図１
2017098728.tif 000002
【特許請求の範囲】
【請求項１】
接眼レンズを有するファインダーと、ライブビュー用の外部表示装置を備えた、レンズ交換可能なデジタルカメラにおいて、外部表示装置の画面中心をファインダーの右上方（背面から見て）に配置することが可能であることを特徴とするデジタルカメラ。
【請求項２】
外部表示装置は、収納状態において、カメラ背面のファインダーの下方に配置され、外部表示装置保持部材には、ファインダーより上方に跳ね上げる機構と、パネルを反転する機構を含む少なくとも２軸の回転機構有するとともに、上記保持部材は、カメラ右側に設置されたことを特徴とする請求項１に記載のデジタルカメラ。
【請求項３】
前記外部表示装置を上方に跳ね上げる機構の回転軸は、ファインダーの下端の高さ以上にあることを特徴とする請求項２に記載のデジタルカメラ。
【請求項４】
前記外部表示装置の画面中心が前記ファインダーの接眼レンズのアイカップ頂点から70mm以上離れていることを特徴とする請求項２に記載のデジタルカメラ。
【請求項５】
前記ファインダーは光学式ファインダーであることを特徴とする請求項２乃至請求項４の何れか一項に記載のデジタルカメラ。
【請求項６】
カメラ右下方に縦位置撮影用のシャッターボタンを配置したことを特徴とする請求項１乃至請求項５の何れか一項に記載のデジタルカメラ。
【請求項７】
前記外部表示装置の画像はそれぞれの回転機構での回転に伴い、各回転機構の軸と平行な画面内の軸で反転して表示されることを特徴とする請求項２に記載のデジタルカメラ。
【請求項８】
外部表示装置はタッチパネル機能を有し、外部表示装置を背面に収納時にタッチパネルで行える操作に対応するスイッチが、外部表示装置をカメラ背面より取り出した時に、操作が可能となるように配置したことを特徴とする請求項１乃至請求項７の何れか一項に記載のデジタルカメラ。
【発明の詳細な説明】
【技術分野】
【０００１】
本発明は、ライブビュー用の外部モニターを備えたデジタルカメラの技術に関する。
【背景技術】
【０００２】
レンズ交換可能な、一眼レフ型のデジタルカメラにおいて、ライブビュー機能の搭載が一般的となってきている。従来、撮影者は、撮影レンズからの光線をクイックリターンミラーを用いて、ピント板に結像させ、ペンタプリズムを通して、接眼レンズで観察していた。それに対して最近、撮影レンズからの光線を直接センサーに結像させ、電気信号に変換された画像情報をリアルタイムに液晶モニターなどに表示して観察する機能の搭載が一般的になってきた。それがライブビューと呼ばれるものである。
【０００３】
ライブビュー用の外部モニターとしては、カメラの背面液晶モニターが使用されるが、撮影アングルの自由度および、視認性の向上のために、外部モニターの向きを可変にしたものが提案されている。
【０００４】
特許文献１には、カメラ背面左方に設けた、軸を中心に、背面液晶モニターを左方に展開し、さらに、もう一つの軸で画面を上下方向に反転する構造が開示されている。この２軸の角度を調整することで、自由な角度でモニターを観察することが可能となっている。
【０００５】
また、特許文献２には、カメラの底に接続させる、縦位置撮影用グリップに可倒式モニターを備えた構成が開示されている。カメラ背面の下方にヒンジを設けており、そこを軸として角度を変える事が可能となっている。モニターの角度を可変可能とすることで、ライブビューでの観察、撮影時に視認性の向上が図られている。
【先行技術文献】
【特許文献】
【０００６】
【特許文献１】特開２００９−７７２０４号公報
【特許文献２】特開２０１０−２６０９０号公報
【発明の概要】
【発明が解決しようとする課題】
【０００７】
上述の特許文献１、特許文献２に開示された従来技術ともに、ライブビューでの観察時の視認性は向上している。しかしながら、接眼レンズを覗いて光学ファインダーにより撮影する際の、撮影画像のチェックを行うモニターとしての配置には下記の不都合があった。
（１）背面に収納した元の位置、および、角度を変えたどの位置においても、ファインダーとの視度差が大きく、眼の視度調整に対して負担となる。
（２）外部モニターがファインダー観察の際、邪魔になり、左眼前方の視野の確保、および、レンズ操作の妨げとなる。
（３）特許文献１では、縦位置撮影の際に外部モニターの配置が下方になり、見づらい。
【課題を解決するための手段】
【０００８】
上記の課題を解決するために、本発明に係るデジタルカメラは、
接眼レンズを有するファインダーと、ライブビュー用の外部表示装置を備えた、レンズ交換可能なデジタルカメラにおいて、外部表示装置の画面中心をカメラ背面から見たとき、ファインダーの右上方に配置することが可能であることを特徴とする。
【発明の効果】
【０００９】
本発明によれば、接眼レンズを用いたファインダーと外部モニターを併用する際に、カメラ左側の視野が確保され、レンズの操作がしやすくなる。また、縦位置での撮影においても、外部モニターの位置が最適な構成とすることが可能である。更に、どのモニター位置においても、ファインダーとの視度差を軽減したデジタルカメラを提供することができる。
【図面の簡単な説明】
【００１０】
【図１】実施例１のデジタルカメラの 外部モニターを展開した状態を示す模式図
【図２】実施例１のデジタルカメラの 外部モニターを収納した状態を示す模式図
【図３】実施例１のデジタルカメラの 外部モニターの上方への跳ね上げを示す模式図
【図４】実施例１のデジタルカメラの 外部モニターの反転を示す模式図
【図５】実施例１のデジタルカメラを縦位置で使用の際の状態を示す模式図
【図６】本発明の外部モニターの位置を示す模式図
【図７】実施例１、２で外部モニター収納時のカメラ位置と視度の関係を示す模式図
【図８】実施例１で外部モニター展開時のカメラ位置と視度の関係を示す模式図
【図９】実施例２で外部モニター展開時のカメラ位置と視度の関係を示す模式図
【図１０】実施例１のデジタルカメラの 外部モニターを収納した状態の斜め前方からの模式図
【図１１】実施例２のデジタルカメラの 外部モニターを展開した状態を示す模式図
【図１２】実施例２のデジタルカメラの 外部モニターを収納した状態を示す模式図
【図１３】実施例２のデジタルカメラの 外部モニターの上方への跳ね上げを示す模式図
【図１４】実施例２のデジタルカメラの 外部モニターの反転を示す模式図
【図１５】実施例２のデジタルカメラを縦位置で使用の際の状態を示す模式図
【図１６】比較例におけるカメラの位置と視度の関係を示す模式図
【図１７】本発明のデジタルカメラのレンズ脱着操作を示す模式図
【図１８】本発明のデジタルカメラのレンズ装着操作を示す模式図
【図１９】実施例２に外部ストロボを装着した状態を示す模式図
【図２０】実施例２のデジタルカメラを縦位置で構えた様子を示す模式図
【発明を実施するための形態】
【００１１】
以下に、本発明の好ましい実施の形態を、添付の図面に基づいて詳細に説明する。
【００１２】
図１は本発明の実施形態にかかわるデジタルカメラを背面から見た外観模式図であり、
図１０はこのデジタルカメラを斜め前方から見た斜視外観図である。なお、図１においては、外部モニターを展開して、背面から見てカメラ右上部に配置した状態を示し、図１０では外部モニターはカメラ背面に収納した状態を示す。
【００１３】
カメラ本体３の背面上部には、光学ファインダー２が配置され、その下方に外部モニターが配置されている。
【００１４】
光学ファインダーで観察する際、カメラ本体３の正面に位置するマウント４から入った撮影光線は、内部の可動クイックリターンミラー５で反射し、ピント板に結像する。ピント板に結像した像は、ペンタプリズムで像を反転した後、接眼レンズを介して観察する。
【００１５】
光学ファインダー２での観察による撮影では、レリーズボタン６の操作によりクイックリターンミラー５が上部の光路外に退避し、撮影レンズからの光線はイメージングセンサーに結像する。イメージングセンサーで光電変換された画像データは画像処理エンジンで処理されメモリカードなどにデータ保存を行うと同時に、保存した画像を外部モニター１に表示する。
【００１６】
ライブビュー時においては、クイックリターンミラー５は上部に跳ね上げて光路より退避する。マウントから入ったレンズからの光線は、イメージングセンサーに結像する。イメージングセンサーで光電変換された画像データは画像処理エンジンで処理されリアルタイムに外部モニター１に表示される。撮影者は外部モニターの画像を観察しながら、フレームを決めレリーズすることになる。
【００１７】
本発明では、光学ファインダー２での観察による撮影および、ライブビューでの観察による撮影ともに、外部モニター１は図１の様にカメラ背面から見て右上方の配置で行う事が可能である。ここで、特に、光学ファインダー２で観察して撮影を行い、撮影した画像を外部モニターで見る撮影方法に関して、撮影者の視度の変化に関して考える。
【００１８】
図７は撮影者とカメラの位置と視度を表したものである。各視度は、撮影者が観察する眼を中心とした同心円の破線で示されている。
【００１９】
図７では、本実施例のデジタルカメラにおいて、外部モニターを背面に収納した状態で、撮影者が観察している状態を真上から見た模式図であり、撮影者が右眼で観察すると仮定している。
【００２０】
外部モニターの画面中心が、撮影者の右眼から約167mmの位置に配置されており、その時の視度は６ディオプターである。この６ディオプターをこれより近くではピントが合わせられない距離、すなわち近点の基準として考える。近点は個人差が大きく、年齢とともに遠ざかる。６ディオプターの値はあくまでも便宜的な代表値であるが、下記の理由により近点の基準を設ける。
【００２１】
一般的な一眼レフデジタルカメラにおいて、光学ファインダーの接眼レンズには、視度調整機能を持っている。視度調整範囲としては、−３〜＋１ディプターとなっているのが一般的である。撮影者が弱い近視の場合、視度調整機能は中心の−３〜−１ディオプターに合わせて裸眼で使用する事が多い。眼鏡を用いると、アイポイントが接眼レンズから遠ざかるため、全視野が見える位置の許容範囲が狭くなり、ファインダーが見づらくなる。そのため、眼鏡使用者でも撮影時は裸眼の人もいる。
【００２２】
一方、撮影者が強い近視、遠視の場合、眼鏡や、コンタクトレンズなどの使用が必要となるが、矯正視力は少し弱い近視としておく事が一般的であるため、視度調整機能を併用する事が多い。その場合の視度調整範囲は−３〜−１ディオプターである。
【００２３】
すなわち、多くの撮影者は−３〜−１ディオプターの視度調整範囲でファインダーを観察している事になる。すなわち、光学ファインダーを観察している際、１〜３ディオプターの視度の範囲を観察している事と同等になる。
【００２４】
一方、視度の調整範囲は加齢とともに減少する。視度を合わせられる範囲の遠い点を遠点、近い点を近点と言うが、その遠点の視度と近点の視度の差が視度調整力と呼ばれる。視度調整力は個人差があるが、個人の調整力は、眼鏡等を使用しても、変化しない。視度調整力は加齢とともに減少する。４５歳では、２〜４ディオプター、５０歳で１ディオプター以下となると言われている。
【００２５】
そこで、視度調整力３ディオプターを基準にして考える。撮影者は、上述の様に、光学ファインダーを１〜３ディオプターの範囲で観察していると考えられる。そこを遠点と取ると、近点は４〜６ディオプターとなる。眼鏡等による矯正を近眼気味にして、視度３ディオプターで使用しているときが、近点が一番近くでき、その時が６ディオプターとなる。よって、視度調整力３ディオプターの撮影者は６ディオプターより近い物にピントを合わせる事が出来ない。同様に、視度調整力１ディオプターの撮影者は、４ディオプターより近い物にピントが合わせられない。
【００２６】
視度調整力３ディオプターと言う基準は、便宜的に設けたに過ぎないが、視度調整力が決まると、ピントを合わせられる近点の限界が決まる。この理由により、近点の基準を設ける。
【００２７】
図７の説明に戻る。光学ファインダーで撮影する際は、撮影者の眼はカメラのアイキャップ７に近接している。撮影画像を外部モニターで見る際には、そこから約150mm以上、カメラは遠ざける必要がある。小さな軽い交換レンズをカメラに装着している場合ならその動作はたやすいが、三脚に固定している場合や、一脚に超望遠レンズを装着して撮影を行っている場合などは、その距離を開けるためには、撮影者が後ろに下がる必要がある。約150mmの距離を離れるためには、首、頭部の動きだけでは無理で、体ごと後ろに下がる必要があり大変煩わしい。
【００２８】
図１６に、比較例での外部モニターを左に開いたカメラにおける、撮影者とカメラの位置と視度を示す。
【００２９】
カメラの位置Ａは右眼をファインダーから離し、両目で外部モニター全体が視野に入る位置まで下がった状態である。アイキャップからは約８０ｍｍ程度離れた位置となる。この位置では、外部モニター１は左眼の真正面に位置するため、視度は左眼を中心に考える。カメラの位置Ａにおいては外部モニター１の視度は１０ディオプターとなっている。この状態では、上記近点の限界６ディオプターを超えておりピントは合わない。
【００３０】
画面中心が６ディオプターの視度まで遠ざけたのが、カメラの位置Ｂである。これは、図７の外部モニター１をカメラ背面に収納した時とほぼ同じ配置であり、前述と同等の問題がある。
【００３１】
本発明は、図６に示す範囲、すなわち、カメラを背面から見て光学ファインダーの右上方の範囲に外部モニターを配置するものである。
【００３２】
外部モニター１の中心を、ファインダー２より右側に配置することで、横方向の距離を稼いでいる。更に、右眼は、カメラに対して相対位置を少し左側に離す事が可能となるため、首、頭部の動きだけで、６ディオプターの距離を離す事が可能となる。外部モニターの中心を、ファインダーの上部に配置したことは、この観察位置での左眼の外部モニターへの視野を確保するために必要な条件である。
【００３３】
これによりカメラと眼の離す距離を最小にしながら、必要な視度の距離に外部モニターを配置できる。
【００３４】
図８、図９の様に、比較例のカメラ位置Ａと同等の位置でも６ディオプターの視度を確保できている。
【００３５】
図１７、図１８に、本発明のデジタルカメラへの交換レンズの装脱着操作を示す。
【００３６】
レンズ交換の際に外部モニターが実施例の位置に配置する事により、邪魔にならない。
【００３７】
図２０に、縦位置でのカメラを構えた時の正面から見た撮影者の様子を示す。
【００３８】
正面から見たとき、外部モニターが撮影者の右上方に配置されるため視認性が良く、更に、左眼での視野が遮られないため、被写体全体を観察する事が可能である。
【００３９】
［実施例１］
以下、本発明の第1の実施例による、デジタルカメラについて説明する。
【００４０】
図２は実施例１のデジタルカメラの外部モニター１を背面に収納した状態を示す模式図である。
【００４１】
光学ファインダー２の下方に収納されている外部モニター１とつながるヒンジ８は光学ファインダー右側にカメラとの第１の回転軸を持っている。そこを軸として上方に跳ね上げたのが図３の状態である。外部モニターは光学ファインダー２の上方に位置しているが、画面は被写体を向いている。この状態でヒンジ８に設けられた反転機構９で、回転させる。反転機構９は第１の回転軸とは直交する第２の回転軸となっている。画面を図４に図示した方向に回転し、図１に示す外部モニター１配置とする。
【００４２】
この状態で、外部モニター１の画面中心はファインダーより右方向にずれた配置となるため、上述の様に、光学ファインダー２と外部モニター１を併用する際の眼の移動量が少なくて済む。
【００４３】
反転機構９による回転は途中の状態でも停止する事が可能である。少し、回転を戻した状態（図４程度）の角度で使用する事も可能である。その状態におけるカメラと撮影者の位置と視度の関係を示したのが図８である。画面の中心に対する視度を６ディオプターの距離に離しながらも、カメラに対する眼の移動をほとんど行わないですんでいる。この際、撮影者はカメラに対して左方に異動するため、外部モニター１は上記のような角度が望ましい。
【００４４】
図５は本発明のデジタルカメラを縦位置撮影の状態に回転したものである。
【００４５】
カメラ背面から見て反時計回りに９０°回転している。この際、外部ファインダー１はカメラ平面から見て左上方に配置される事になる。視度に関してのメリットは存在しないが、左眼の上方に配置されるために、左眼の視野を妨げる事はない。
【００４６】
［実施例２］
本発明の第２の実施例による、デジタルカメラについて説明する。本実施例は、３つの回転機構を有するものである。
【００４７】
図１２は実施例２のデジタルカメラの外部モニター１を背面に収納した状態を示す模式図である。
【００４８】
第２実施例のデジタルカメラでは、縦位置撮影用のグリップを下方に有するもので、右下方に縦位置撮影用のレリーズボタンも有する。
【００４９】
光学ファインダー２の下方に収納されている。外部モニター１とつながるヒンジ８はカメラ上部の右端でカメラと接合されている。接合部において、第１の回転軸はカメラに対して水平に存在し、ヒンジ８を上方に回転することで、外部モニター１を光学ファインダー２の上部に跳ね上げる事が可能である。
【００５０】
その状態が図１３のである。第１実施例と同様に外部モニターは光学ファインダー２の上方に位置しているが、画面は被写体を向いている。この状態でヒンジ８に設けられた反転機構９で、回転させる。第２実施例では、反転機構９は第１の回転軸と平行する方向に回転軸を持っている。これを第２の回転軸とする。これにより画面を反転した状態が図１４である。
【００５１】
一方、図１３の状態で、ヒンジ８に設けられた別の反転機構１０で外部モニターを反転する事もできる。反転機構１０は第１、第２の回転軸とは直交する第３の回転軸を有する。これにより外部モニター１は図１１の状態に配置される。
【００５２】
この状態で、外部モニター１の画面中心はカメラの本体より右方向にずれた配置となるため、上述の様に、光学ファインダー２と外部モニター１を併用する際の眼の移動量が少なくて済む。
【００５３】
実施例１と同様に、反転機構１０による回転は途中の状態でも停止する事が可能である。少し、回転を戻した状態の角度で使用する事も可能である。
【００５４】
同様に、その状態におけるカメラと撮影者の位置と視度の関係を示したのが図９である。画面の中心に対する視度を６ディオプターの距離に離しながらも、カメラに対する眼の移動をほとんど行わないですんでいる。この際、撮影者はカメラに対して左方に異動するため、外部モニター１は上記のような角度が望ましい。
【００５５】
図１５は本発明のデジタルカメラを縦位置撮影の状態に回転したものである。
【００５６】
カメラ背面から見て反時計回りに９０°回転している。この際、外部ファインダー１はカメラ平面から見て左上方に配置される事になる。実施例２では、カメラのより上方に配置されるために、左眼の視野が確保される。また、実施例２では図１９の様に外部ストロボ装置１３との併用が可能である。
【００５７】
実施例１、２ともに、外部モニター１にはタッチパネル機能を持たせる事も可能で、カメラ操作に関するボタンの代わりに、タッチパネルの操作で行う事も可能である。その際、タッチパネルによる操作は外部モニター１がカメラ背面に収納されているときに限定する事が好ましい。外部モニターに可倒の機構を有するために、外部モニター１を展開した状態では、外部モニター自体が動いてしまうため、タッチパネルの操作が困難となるためである。
【００５８】
外部モニターを展開した状態においては、カメラ背面の外部モニター収納スペースに代替のスイッチ類を配置する事が好ましい。
【００５９】
図１、図１１において、カメラ背面、右方に、中心に押しボタン１２を備えた回転ダイヤル１１を配置している。また、その上方には、ジョイスチックスイッチ１４が配置されている。特に、光学ファインダーでの撮影時においては、外部モニターは展開した状態で使用する事になるので、レスポンスも早く、直接目視しないでも操作可能な物理的なスイッチ類を配置する事が望ましい。
【００６０】
以上、本発明の好ましい実施形態について説明したが、本発明はこれらの実施形態に限定されず、その要旨の範囲内で種々の変形及び変更が可能である。
【００６１】
本発明により、デジタルカメラにおいて、外部モニターと光学ファインダーの視度差を軽減する事が可能となり、外部モニターと光学ファインダーを併用した撮影がしやすくなる。
【符号の説明】
【００６２】
１  外部モニター、２  光学ファインダー、３  カメラ本体、４  マウント、５  クイックリターンミラー、６  レリーズボタン、７  アイキャップ、８   ヒンジ、９  反転機構、１０  反転機構、１１  回転ダイヤル、１２  押しボタン、１３  外部ストロボ装置、１４  ジョイスティック
【図１】
2017098728.tif 000003
【図２】
2017098728.tif 000004
【図３】
2017098728.tif 000005
【図４】
2017098728.tif 000006
【図５】
2017098728.tif 000007
【図６】
2017098728.tif 000008
【図７】
2017098728.tif 000009
【図８】
2017098728.tif 000010
【図９】
2017098728.tif 000011
【図１０】
2017098728.tif 000012
【図１１】
2017098728.tif 000013
【図１２】
2017098728.tif 000014
【図１３】
2017098728.tif 000015
【図１４】
2017098728.tif 000016
【図１５】
2017098728.tif 000017
【図１６】
2017098728.tif 000018
【図１７】
2017098728.tif 000019
【図１８】
2017098728.tif 000020
【図１９】
2017098728.tif 000021
【図２０】
2017098728.tif 000022